(57)【特許請求の範囲】
【請求項１】
既設トンネルから一般道路を介して離れた製造工場にて、プロテクタを組み立てる組立ステップと、
前記工場内又は近郊に汎用大型車両を搬入する搬入ステップと、
前記プロテクタを積載可能な専用架台を前記車両に搭載する搭載ステップと、
前記プロテクタを前記専用架台上に積載する積載ステップと、
前記汎用大型車両を用いて前記工場から前記既設トンネルへ前記プロテクタを運搬する運搬ステップと、
前記トンネルの所望位置にて前記プロテクタを設置する設置ステップと、
を備えた既設トンネル用プロテクタの設置方法であって、かつ、
前記組立ステップでは、前記プロテクタの寸法が前記車両の積載許容範囲に収まるように該プロテクタを組み立て、
前記組立ステップでは、変形自在又は着脱自在に構成されかつ前記プロテクタの高さを調節可能な寸法調節部を前記プロテクタの側部に設け、
前記積載ステップでは、前記プロテクタを前記車両の積載許容範囲内に積載可能な第１状態に置くよう前記寸法調節部を操作し、
前記設置ステップでは、前記プロテクタを前記トンネルに施工される第２状態に置くよう、前記寸法調節部を操作しかつ前記専用架台上で前記プロテクタの姿勢を変更し、
前記組立ステップでは、前記プロテクタの奥行きを幅よりも小さくし、かつ、該奥行き、該幅、前記寸法調節部によって縮小された状態の前記高さ、及び重量がそれぞれ、前記汎用大型車両が許容する積載幅、積載長さ、積載高さ、及び積載重量以下になるよう前記プロテクタを製造し、
前記搭載ステップでは、前記プロテクタを保持しながら回動可能な回動機構が設けられた専用架台を搭載し、
前記積載ステップでは、前記寸法調節部の操作により前記側部の高さを縮小しかつ前記側部を前記車両の進行方向前後に配置することで第１状態を形成し、
前記設置ステップでは、前記専用架台の前記回動機構を用いて第１状態の前記プロテクタを水平方向に回転させて前記側部を前記車両の左右に配置し、かつ、前記寸法調節部の操作により前記側部の高さを伸展することで第２状態を形成することを特徴とする設置方法。
【請求項２】
前記搭載ステップでは、前記回動機構が複数設けられるとともに、前記回動機構の離間距離を調節可能なスライド機構がさらに設けられた専用架台を搭載し、
前記積載ステップでは前記専用架台に前記プロテクタを複数積載し、かつ、
前記設置ステップでは前記スライド機構を操作して前記回動機構に積載された前記プロテクタ同士が近づくように離間距離を縮めることを特徴とする請求項１に記載の設置方法。
【請求項３】
請求項１又は請求項２に記載の設置方法で既設トンネルに設置されたプロテクタを、汎用大型車両を用いて前記トンネル外へ運搬する運搬ステップを備えることを特徴とした既設トンネル用プロテクタの撤去方法。
【請求項４】
既設トンネルに設置された請求項１に記載のプロテクタを、請求項１又は請求項２に記載の専用架台を用いて、設置された状態から汎用大型車両に積載可能な第１状態に置き、該車両を用いて前記トンネル外へ運搬する運搬ステップを備えることを特徴とした既設トンネル用プロテクタの撤去方法。
【発明の詳細な説明】
【技術分野】
【０００１】
本発明は、既設トンネル用プロテクタの設置方法及びその撤去方法に関し、特に、設置するプロテクタの品質・安全性を高めるとともに、プロテクタを運搬・設置する為の全面通行止めの時間を最短とすることができる既設トンネル用プロテクタの設置方法及びその撤去方法に関するものである。
【背景技術】
【０００２】
既設トンネルを拡幅して新設のトンネルを施工する工事において、迂回路が確保できない場合に、既設トンネル内にプロテクタを設置して一般車両の通行を確保する措置が通常取られる。プロテクタは、一般に、天板部と、この天板部の両端から下方に延びた側部と、を備え、車両通行方向の断面が「コの字（コの開口部が下向き）」の形状を成す。また、従来のプロテクタの寸法として、開口部を画定する縦×横（幅）の寸法が約４ｍ×約３．５ｍ、長さ（奥行き）が６ｍ程度のものが多い。一方、トンネル内の工事区間は、プロテクタの長さ（奥行き）より通常長いため、同寸法のプロテクタを車両通行方向に何個か連結して施工されることが多い（例えば、特許文献１〜３）。なお、プロテクタは、このプロテクタに要求される剛性や強度を確保するため、通常、鋼板等の金属製板材で作られる。
【０００３】
従来のプロテクタの施工では、特許文献１の段落〔０００７〕に記載のように、一般に、既設トンネル近くの組立ヤードにてクレーン等を用いてプロテクタを組立て・仮置きし、その後、順次、工事区間の所定位置まで運搬して本設置する。
【０００４】
なお、組立ヤードから設置場所までの運搬においては、プロテクタの上記寸法や重量の点から、道路交通法に適合した汎用大型車両（例えば、１０トン用トラック）を利用することは出来ない。具体的には、従来のプロテクタでは、その重量が該車両の積載許容重量を超えてしまうだけでなく、その寸法が積載許容寸法よりも遥かに大きくなる。つまり、従来のプロテクタは、汎用大型車両に対して重量超過及び寸法超過となるため、トレーラ、フォークリフト等の大型特殊車両を利用しなければならない。
【０００５】
（交通規制期間の長期化の問題）
そうすると、従来の設置方法では、一つ一つのプロテクタを運搬・設置する期間は一般車両を全面通行止めにしておかなければならず、結局、交通規制期間を大幅に短縮することが難しい。
【０００６】
（組立ヤード確保の問題）
また、従来の設置方法では、工事現場の近隣にプロテクタを組立て・仮置きするために十分な広さの組立ヤードを確保する必要があるが、現場近くの地形等の制約によっては、その確保が困難な場合もある。
【０００７】
（プロテクタの品質・安全性への危惧）
さらに、トンネル現場近くの組立ヤードは、往々にして、正確・精密な製造に適した環境下に置かれていないため、そこで組み立てられるプロテクタは品質や安全性が低いとの懸念が拭いきれない。
【先行技術文献】
【特許文献】
【０００８】
【特許文献１】特開平１１−３２４５９９号公報
【特許文献２】特開２００３−２６９０７３号公報
【特許文献３】特開２００７−２１７９２７号公報
【発明の概要】
【発明が解決しようとする課題】
【０００９】
本発明は、このような事情に鑑みてなされたものであり、プロテクタ施工に係る全面通行止めの時間を最短とすることができる既設トンネル用プロテクタの設置方法及びその撤去方法を提供することを目的とする。
【００１０】
また、本発明のもう一つの目的は、プロテクタ施工の為に広大な組立ヤードを確保する必要がない既設トンネル用プロテクタの設置方法を提供することである。
【００１１】
さらに、本発明のもう一つの目的は、プロテクタの品質や安全性の向上に寄与する既設トンネル用プロテクタの設置方法を提供することである。
【課題を解決するための手段】
【００１２】
本発明者らは、鋭意検討の末、従来の組立ヤードでの組立て・仮置きの工程を排除し、専ら製造工場でプロテクタを製造して製造工場から直接、トンネル工事区間の設置場所へ運搬することに着眼し、この運搬方法に適合可能なプロテクタや専用架台の構造に想到し、この方法によれば、交通規制期間の短縮、組立ヤード確保、プロテクタの品質・安全性への要請など、従来の方法での問題を一気に解決できることを見出し、本発明を完成するに至った。
【００１３】
すなわち、本発明では、例えば、次の構成・特徴を採用する。
（態様１）
既設トンネルから一般道路を介して離れた製造工場にて、プロテクタを組み立てる組立ステップと、
前記工場内又は近郊に汎用大型車両を搬入する搬入ステップと、
前記プロテクタを積載可能な専用架台を前記車両に搭載する搭載ステップと、
前記プロテクタを前記専用架台上に積載する積載ステップと、
前記汎用大型車両を用いて前記工場から前記既設トンネルへ前記プロテクタを運搬する運搬ステップと、
前記トンネルの所望位置にて前記プロテクタを設置する設置ステップと、
を備えた既設トンネル用プロテクタの設置方法であって、かつ、
前記組立ステップでは、前記プロテクタの寸法が前記車両の積載許容範囲に収まるように該プロテクタを組み立て、
前記組立ステップでは、変形自在又は着脱自在に構成されかつ前記プロテクタの高さを調節可能な寸法調節部を前記プロテクタの側部に設け、
前記積載ステップでは、前記プロテクタを前記車両の積載許容範囲内に積載可能な第１状態に置くよう前記寸法調節部を操作し、
前記設置ステップでは、前記プロテクタを前記トンネルに施工される第２状態に置くよう、前記寸法調節部を操作しかつ前記専用架台上で前記プロテクタの姿勢を変更し、
前記組立ステップでは、前記プロテクタの奥行きを幅よりも小さくし、かつ、該奥行き、該幅、前記寸法調節部によって縮小された状態の前記高さ、及び重量がそれぞれ、前記汎用大型車両が許容する積載幅、積載長さ、積載高さ、及び積載重量以下になるよう前記プロテクタを製造し、
前記搭載ステップでは、前記プロテクタを保持しながら回動可能な回動機構が設けられた専用架台を搭載し、
前記積載ステップでは、前記寸法調節部の操作により前記側部の高さを縮小しかつ前記側部を前記車両の進行方向前後に配置することで第１状態を形成し、
前記設置ステップでは、前記専用架台の前記回動機構を用いて第１状態の前記プロテクタを水平方向に回転させて前記側部を前記車両の左右に配置し、かつ、前記寸法調節部の操作により前記側部の高さを伸展することで第２状態を形成することを特徴とする設置方法。
（態様２）
前記搭載ステップでは、前記回動機構が複数設けられるとともに、前記回動機構の離間距離を調節可能なスライド機構がさらに設けられた専用架台を搭載し、
前記積載ステップでは前記専用架台に前記プロテクタを複数積載し、かつ、
前記設置ステップでは前記スライド機構を操作して前記回動機構に積載された前記プロテクタ同士が近づくように離間距離を縮めることを特徴とする態様１に記載の設置方法。
（態様３）
態様１又は態様２に記載の設置方法で既設トンネルに設置されたプロテクタを、汎用大型車両を用いて前記トンネル外へ運搬する運搬ステップを備えることを特徴とした既設トンネル用プロテクタの撤去方法。
（態様４）
既設トンネルに設置された態様１に記載のプロテクタを、態様１又は態様２に記載の専用架台を用いて、設置された状態から汎用大型車両に積載可能な第１状態に置き、該車両を用いて前記トンネル外へ運搬する運搬ステップを備えることを特徴とした既設トンネル用プロテクタの撤去方法。
【発明の効果】
【００１４】
本発明の設置方法によれば、工場にてプロテクタを製造し、これを直接、既設トンネルの現場まで運搬させることができるため、従来の方法で必要であった組立ヤードを現場近くに確保する必要がなく、該ヤードでの組立作業の為のクレーン等の重機も不要となる。
【００１５】
また、本発明の方法で運搬・施工されるプロテクタは製造条件や製造環境が管理・徹底され易い工場にて製造されるため、従来の方法で製造されるものよりも品質・精度の向上を図ることができる。
【００１６】
また、本発明の方法によれば、プロテクタの運搬に、通行許可申請を行わずに一般道路を走行できる汎用大型車両を利用でき、従来の方法で利用しなければならなかったトレーラ、フォークリフト等の大型特殊車両を利用する必要が無いため、プロテクタの運搬期間は一般車両を全面通行止めにする必要が無く、交通規制期間を大幅に短縮することができるようになる。
【図面の簡単な説明】
【００１７】
【図１】本発明の設置方法の各ステップを示すフローチャートである。
【図２】本発明の設置方法の各ステップの概要及び流れを三次元的に示した図である。
【図３】本発明の設置方法の各ステップの概要及び流れを二次元的に示した図である。
【図４】本発明の設置方法の各ステップの概要及び流れを二次元的に示した図である。
【発明を実施するための形態】
【００１８】
以下、添付の図面を参照しながら下記の具体的な実施形態に基づき本発明を説明するが、本発明はこれらの実施形態に何等限定されるものではない。
【実施例１】
【００１９】
（本発明の方法に係るフローチャート）
先ず、図１のフローチャートを参照しながら本発明の設置方法の各ステップＳ１〜Ｓ６を詳細に説明する。また、図２は本発明の設置方法の各ステップの概要及び流れを三次元的に示した図である。図３及び４は本発明の設置方法の各ステップの概要及び流れを二次元的に示した図である。なお、これらの図では、一回の方法の処理で、２台のプロテクタ１，１を積載・運搬・設置した例を示しているが、その台数は１台でも３台以上でも構わない。もちろん、その台数が多い程、運搬効率は飛躍的に向上する。
【００２０】
（組立ステップ  Ｓ１）
先ず、本発明の最初のステップとして、既設トンネル５から一般道路（図示せず）を介して離れた製造工場（図示せず）にて、変形自在又は着脱自在な寸法調節部１１を有したプロテクタ１を組み立てる（組立ステップＳ１  図１参照）。このステップＳ１の実行により、従来の方法で必要であった組立ヤード（図示せず）を現場近くに確保する必要がなく、そのヤードで組立作業の為のクレーン等の重機も不要となる。また、本発明のプロテクタ１は製造条件や製造環境が管理・徹底され易い工場にて製造されるため、従来の方法で製造されるものよりも品質・精度の向上を図ることができる。
【００２１】
（好適なプロテクタの構造）
次に、この組立ステップＳ１で製造され、かつ、その後の運搬に適したプロテクタ１について説明する。プロテクタ１は、天板部１２と、この天板部１２を挟んで設けられた一対の側部１３，１３とを備える。ここで、（１）寸法調節部１１をプロテクタ１の側部１３，１３に設けることがさらに好ましい。図２〜図４に示す例では、寸法調節部１１は、側部１３，１３が高さ方向の上下に分割され、その分割位置に、下部材１４を上部材１５に向けて折り曲げ（折り畳み）可能なヒンジ（図示せず）及び固定手段（図示せず）が設けられている。これにより、側部１３，１３の高さを変更（短縮又は伸展）した状態を作り出すことができる。なお、寸法調節部１１は、図示のヒンジ構造に限定されず、その他の公知の構造で代替してもよい。例えば、側部１３，１３の長さが上下に短縮及び伸展可能にスライドでき各状態で固定できるスライド構造（図示せず）を寸法調節部として採用してもよいし、側部１３，１３の下部材１４を着脱・固定できる接続機構（図示せず）を採用してもよい。
【００２２】
（好適なプロテクタの寸法）
また、上記構造を有した本発明のプロテクタ１の寸法は、一時的又は恒久的に、汎用大型車両２の積載許容寸法以内に入ることが好ましい。より好ましくは、（２）プロテクタ１の奥行きＤｐを幅Ｗｐよりも小さくし（例えば、図２（ｂ）の例では幅Ｗｐが４．５ｍに対して奥行きＤｐが２．３５ｍ）、かつ、（３）奥行きＤｐ及び幅Ｗｐをそれぞれ、汎用大型車両２の積載幅Ｗｃ及び積載長さＬｃ以下にすること（汎用大型車両２が１５ｔ積載用トラックの場合を例にとると、その積載幅Ｗｃは２．３５ｍであるからプロテクタ１の奥行きＤｐ２．３５ｍはＷｃと同じであり、一方、その積載長さＬｃは９．６ｍであるからプロテクタ１の幅Ｗｐ４．５ｍはＬｃより遥かに小さい）、（４）プロテクタ１が専用架台３に搭載された際にその側部１３，１３の高さＨｐが汎用大型車両２の積載高さＨｃ２．６ｍ以下（車両積載状態で地上高さ３．８ｍ以下）に変形（縮小）できることが好ましい。このように組立て・寸法取りすることで、後述のステップＳ４〜Ｓ６にてプロテクタ１の好適な積載・運搬・設置を実現できる。
【００２３】
（汎用大型車両の搬入ステップ  Ｓ２）
次に、この工場内又は近郊に汎用大型車両２を搬入する（搬入ステップＳ２）。汎用大型車両２の例としては、積載許容重量が１０トン用や１５トン用の大型トラックが挙げられるが、道路交通法の一般道路の通行基準を順守しながらプロテクタ１を工場から既設トンネル５の現場まで運搬できる車両であれば、上記例示に必ずしも限定されない。
【００２４】
（専用架台の搭載ステップ  Ｓ３）
次に、図２（ａ）及び図３（ａ）に示すように、プロテクタ１を積載可能な専用架台３を汎用大型車両２に搭載する（搭載ステップＳ３）。ここで、専用架台３にはプロテクタ１を保持しながら上下に昇降できる昇降機構３１を備えることが好ましい。専用架台３は、プロテクタ１を水平に回転可能な回動機構３２が設けられていることがさらに好ましい。加えて、この専用架台３が複数設けられるとともに、専用架台３，３同士の離間距離を調節可能なスライド機構３３がさらに設けられることがさらに好ましい。これにより、後述のステップＳ４〜Ｓ６でプロテクタ１の好適な積載（姿勢変更を含む。）・運搬・設置を実現できる。なお、図示のスライド機構３３は、専用架台３の下面に設置された複数の車輪と、これらの車輪を受けて車両２の前後方向に案内するレールによって構成された例を示すが、この構成は一例に過ぎず、これに限定されない。専用架台３を上記前後方向に摺動・移動させる公知の移動手段を採用しても良く、例えば、プロテクタ１を磁気浮上させて移動させるようにしても良い。
【００２５】
（プロテクタの積載ステップ  Ｓ４）
次に、汎用大型車両２上の専用架台３にプロテクタ１を積載する（積載ステップＳ４）。この積載ステップＳ４では、プロテクタ１を汎用大型車両２の積載許容範囲内に積載可能な第１状態Ｐ１に置くよう寸法調節部１１を操作する。例えば、寸法調節部１１の操作（折り畳み）により、図２（ｂ）及び図３（ｂ）に示すように、側部１３，１３の高さＨｐが汎用大型車両２の積載高さＨｃ以下になるよう一時的に縮小されかつこれらの側部１３，１３が汎用大型車両２の進行方向の前後に配置された状態を第１状態Ｐ１とすることが好ましい。これにより、汎用大型車両２の積載許容空間内にプロテクタ１を好適に配置することができる。
【００２６】
（プロテクタの運搬ステップ  Ｓ５）
汎用大型車両２を用いて、上述の第１状態Ｐ１にあるプロテクタ１を製造工場から既設トンネル５まで運搬する（運搬ステップＳ５）。これにより、プロテクタ１の運搬に汎用大型車両２を利用でき、従来の設置方法で利用しなければならなかったトレーラ、フォークリフト等の大型特殊車両を利用する必要が無いため、プロテクタ１の運搬期間は一般車両を全面通行止めにする必要が無く、交通規制期間を大幅に短縮することができるようになる。
【００２７】
（既設トンネルの現場でのプロテクタの設置ステップ  Ｓ６）
次に、汎用大型車両２が既設トンネル５の現場に到着したら、現場の所望位置にプロテクタ１を設置する（設置ステップＳ６）。この設置ステップＳ６では、プロテクタ１を既設トンネル５に施工される状態（第２状態Ｐ２）に置くよう寸法調節部１１を操作することに留意されたい。つまり、第１状態Ｐ１ではプロテクタ１が汎用大型車両２での運搬に適するように折り畳まれていたが、第２状態Ｐ２ではプロテクタ１が実際の施工に適した状態に変形される。
【００２８】
（プロテクタの水平回転及び伸展ステップ  Ｓ６−１及びＳ６−２）
この設置ステップＳ６では、好ましくは、図２（ｃ）及び図３（ｃ）に示すように、専用架台３の回動機構３２を用いて第１状態Ｐ１のプロテクタ１を水平方向に回転（さらに好ましくは９０°回転）させる（水平回転ステップＳ６−１）。つまり、側部１３，１３が汎用大型車両２の左右両側に配置された状態になる。そして、寸法調節部１１を操作して、図２（ｄ）及び図３（ｄ）に示すように、側部１３，１３の高さが伸展された状態（第２状態Ｐ２）にする（伸展ステップＳ６−２）。これにより、汎用大型車両２を前後進させるなどの単純な操作だけで、既設トンネル５の現場の所望位置へプロテクタ１を高精度に及び効率良く設置させ易くなる。
【００２９】
（隣接プロテクタの接続ステップ  Ｓ６−３）
さらに、複数の専用架台３，３及びスライド機構３３が好適に設けられていた場合、積載ステップＳ４にてプロテクタ１，１を複数積載し、かつ、設置ステップＳ６ではこのスライド機構３３を操作してプロテクタ１，１同士が近づくように離間距離を縮めることが好ましい（接続ステップＳ６−３）。具体的には、図３及び図４の例では、積載ステップＳ４での専用架台３，３のピッチＰｔを５ｍに設定してプロテクタ１，１同士を離し（図３（ｂ）及び（ｃ）参照）、この接続ステップＳ６−３において専用架台３，３のピッチＰｔを２．３５ｍまで近づけ、水平回転後のプロテクタ１，１同士を接続する（図２（ｅ）及び図４（ａ）参照）。
【００３０】
（プロテクタの昇降ステップ  Ｓ６−４）
その後、一体になったプロテクタ１，１を地面上に昇降（図示の例では下降）させる（昇降ステップＳ６−４  図４（ｂ）参照）。この昇降ステップＳ６−４を終えプロテクタ１，１を地面に設置した汎用大型車両２は現場を去り（図４（ｃ）参照）、この車両２又は同様の車両２が上記ステップＳ２〜Ｓ６−４を繰り返す。このようにして、既設トンネル５の防護に必要な台数からなるプロテクタ１が現場に連続して設置されることになる（図４（ｄ）参照）。
【００３１】
なお、図４の例では、ステップＳ６−４において隣り合うプロテクタ１，１を下降させる際に、プロテクタ１，１の下端を地面上に直接下ろさずに、レール上を走行する台車に載せるようにしている。これにより、車両２が既設トンネル５内に入ることが出来ず、かつ、車両２の停車位置から既設トンネル５内の設置位置までの距離が長い場合でも、容易かつ迅速にプロテクタ１，１を移動させることができる。一方、図２の例では、プロテクタ１，１を直接、地面に下ろした例を示す。この場合は、プロテクタ１，１の運搬・設置の為に、レール等の追加部材を用意する必要が無い。従って、現場の状況に適宜併せて、プロテクタ１，１の下降・設置方法を選択すれば良い。
【００３２】
これにより、図２〜図４に示すが如く、本発明の方法により同時運搬された複数のプロテクタ１,１が接続され、これらが一体になった状態で一度に設置を完了することができ、設置時間及び一般車両８の全面通行止め期間を飛躍的に短縮することが可能になる。
【実施例２】
【００３３】
（既設トンネル用プロテクタの撤去方法）
次に、本発明の既設トンネル用プロテクタ１の撤去方法についても説明する。
【００３４】
これまで本発明の設置方法を詳しく説明してきたが、既設トンネル内に設置されてその役目を終えたプロテクタ１をトンネル５外へ撤去する際にも、汎用大型車両２を利用して運搬するようにしてもよい。これにより、設置時のみならず撤去時においても全面通行止めの時間を短縮することができる。
【００３５】
例えば、上述の設置方法で既設トンネル５に設置されたプロテクタ１を、汎用大型車両２を用いてトンネル５外へ運搬する運搬ステップを備えるようにしてもよい。さらに好ましくは、トンネル５に設置されたプロテクタ１を、上述の専用架台３を用いて、トンネル設置状態から汎用大型車両２に積載可能な第１状態Ｐ１に置き、該車両２を用いてトンネル５外へ運搬する運搬ステップを備えるようにしてもよい。
【００３６】
なお、本発明の撤去方法を用いて既設トンネル５から撤去されるプロテクタ１は、変形又は着脱自在に構成され、汎用大型車両２の積載許容範囲に収容可能な寸法を有していれば、上述の設置方法にて設置されたものに限られない。
【産業上の利用可能性】
【００３７】
日本全土のみならず、世界においても既設トンネルの拡幅工事は絶えず行われており、全面通行止めの短縮への要望は非常に高い。また、既設トンネル近隣の地形によっては工事の為の機材等の設置スペースが十分に確保できない場合も多々ある。
【００３８】
本発明は、上述したように、従来の方法で必要であった組立ヤードを現場近くに確保する必要がなく、そのヤードで組立作業の為のクレーン等の重機も不要となる。また、本発明の方法で工場にて製造されるプロテクタは、従来の方法で製造されるものよりも品質・精度の向上を図ることができる。さらに、本発明の方法によれば、プロテクタの運搬に道路交通法の一般道路を交通可能な汎用大型車両を利用でき、プロテクタの施工期間は一般車両を全面通行止めにする必要が無く、交通規制期間を大幅に短縮することができるようになる。従って、本発明の設置方法は、産業上の利用可能性が非常に高い。
【符号の説明】
【００３９】
１    プロテクタ
２    汎用大型車両
３    専用架台
３１    昇降機構
３２    回動機構
３３    スライド機構
５    既設トンネル
１１    寸法調節部
１２    天板部
１３    側部
１４    下部材
１５    上部材
Ｓ１    プロテクタの組立ステップ
Ｓ２    汎用大型車両の搬入ステップ
Ｓ３    専用架台の搭載ステップ
Ｓ４    プロテクタの積載ステップ
Ｓ５    プロテクタの運搬ステップ
Ｓ６    既設トンネルの現場へのプロテクタの設置ステップ
Ｓ６−１    プロテクタの水平回転ステップ
Ｓ６−２    プロテクタの伸展ステップ
Ｓ６−３    プロテクタ同士の接続ステップ
Ｓ６−４    プロテクタの昇降ステップ
Ｐ１    プロテクタ運搬時のプロテクタの第１状態
Ｐ２    プロテクタ運搬時のプロテクタの第２状態
【図１】
0006334294.tif 000002
【図２】
0006334294.tif 000003
【図３】
0006334294.tif 000004
【図４】
0006334294.tif 000005